(57)【要約】【課題】コンポーネントキャリアの多重化方式が混在したキャリアアグリゲーションの試験を可能にする移動端末試験装置を提供すること。【解決手段】ＰＣＣまたはＳＣＣとして動作することができる第１セル部１２１とＳＣＣとしてのみ動作する第２セル部１２２とを含んでなる複数のコールプロセッシング部を具備する移動端末試験装置であって、設定すべき全ＣＣの数と全セル部の数とが等しい場合に、コールプロセッシング部１２−０の第１セル部１２１に設定したＰＣＣの多重化方式と同じになるよう、コールプロセッシング部１２−１の第１セル部１２１に全ＣＣの中からＰＣＣと同じ多重化方式のものを選択して設定し、コールプロセッシング部１２−１の第１セル部１２１で移動端末２からの受信信号を受信する。【選択図】図２
2017175492.tif 000002
【特許請求の範囲】
【請求項１】
キャリアアグリゲーションにおける複数のコンポーネントキャリア（以下、ＣＣという）それぞれに設定されたパラメータに基づいて、前記複数のＣＣの１つをプライマリコンポーネントキャリア（以下、ＰＣＣという）とし、他の前記ＣＣをセカンダリコンポーネントキャリア（以下、ＳＣＣという）として移動端末（２）と呼接続を行なってキャリアアグリゲーションの試験を行なう移動端末試験装置（１）であって、
前記ＰＣＣまたは前記ＳＣＣとして動作する第１セル部（１２１）と、前記ＳＣＣとしてのみ動作する第２セル部（１２２）とのうち、１つの前記第１セル部を具備するとともに１つ以上の前記第２セル部を具備可能なコールプロセッシング部の複数個でなる複数のコールプロセッシング部であって、全セル部の数＞全コールプロセッシング部の数でなる当該複数のコールプロセッシング部（１２−０、１２−１）と、
前記複数のＣＣを前記複数のコールプロセッシング部に割り当てる制御部（１５）であって、前記複数のコールプロセッシング部のうちの１つのコールプロセッシング部（１２−０）には前記ＰＣＣを割り当てる当該制御部（１５）と、を備え、
設定すべき全ＣＣの数が全セル部の数と等しく、且つ、前記ＰＣＣを含む前記ＰＣＣの多重化方式と同じ多重化方式のＣＣの数が前記複数のコールプロセッシング部の数以上であることを条件に、前記複数のコールプロセッシング部のうちの別のコールプロセッシング部（１２−１）は、
前記制御部によって前記ＰＣＣの多重化方式と異なる多重化方式の前記ＳＣＣを割り当てられた場合に当該ＳＣＣのパラメータを前記第１セル部に設定しないよう、前記制御部によって前記複数のコールプロセッシング部に割り当てられた全ＣＣの中から前記ＰＣＣの多重化方式と同じ多重化方式の前記ＳＣＣを前記第１セル部に設定するとともに、当該第１セル部に割り当てた以外のＳＣＣを前記第２セル部に設定し、前記移動端末からの受信信号を前記第１セル部で受信する移動端末試験装置。
【請求項２】
前記別のコールプロセッシング部は、前記制御部によって自身に割り当てられた前記ＣＣの中から前記ＰＣＣの多重化方式と同じ多重化方式の前記ＳＣＣを前記第１セル部に設定することを特徴とする請求項１に記載の移動端末試験装置。
【請求項３】
前記別のコールプロセッシング部は、前記制御部によって前記１つのコールプロセッシング部に割り当てられた前記ＣＣの中から前記ＰＣＣの多重化方式と同じ多重化方式の前記ＳＣＣを前記第１セル部に設定することを特徴とする請求項１に記載の移動端末試験装置。
【請求項４】
キャリアアグリゲーションのプライマリコンポーネントキャリア（以下、ＰＣＣという）またはセカンダリコンポーネントキャリア（以下、ＳＣＣという）として動作する第１セル部と、前記ＳＣＣとしてのみ動作する第２セル部とのうち、１つの前記第１セル部を具備するとともに１つ以上の前記第２セル部を具備可能なコールプロセッシング部の複数個でなる複数のコールプロセッシング部であって、全セル部の数＞全コールプロセッシング部の数でなる当該複数のコールプロセッシング部を備え、
キャリアアグリゲーションにおける複数のコンポーネントキャリア（以下、ＣＣという）それぞれに設定されたパラメータに基づいて、前記複数のＣＣの１つを前記ＰＣＣとし、他の前記ＣＣを前記ＳＣＣとして移動端末と呼接続を行なってキャリアアグリゲーションの試験を行なう移動端末試験装置のＣＣ割り当て方法であって、
前記複数のコールプロセッシング部のうちの１つのコールプロセッシング部に、前記ＰＣＣを割り当てるステップと、
設定すべき全ＣＣの数が全セル部の数と等しく、且つ、前記ＰＣＣを含む前記ＰＣＣの多重化方式と同じ多重化方式のＣＣの数が前記複数のコールプロセッシング部の数以上であることを条件に、前記複数のコールプロセッシング部のうちの別のコールプロセッシング部に、
前記全ＣＣの中から前記ＰＣＣの多重化方式と同じ多重化方式の前記ＳＣＣを前記第１セル部に設定するとともに、当該第１セル部に割り当てた以外のＳＣＣを前記第２セル部に設定するステップと、
前記移動端末からの受信信号を前記第１セル部で受信させるようにするステップと、を備えるコンポーネントキャリア割り当て方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、「ＣＣ」ともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、「ＰＣＣ」ともいう）と、移動体通信端末と基地局との伝送速度を向上させるために使用されるＣＣである１つ以上のセカンダリコンポーネントキャリア（以下、「ＳＣＣ」ともいう）とにより通信が行なわれる。
【０００５】
特許文献１には、キャリアアグリゲーションの試験を行なうことができるようにした試験装置が記載されている。
【先行技術文献】
【特許文献】
【０００６】
【特許文献１】特開２０１４−２７６５６号公報
【発明の概要】
【発明が解決しようとする課題】
【０００７】
ＣＣの通信の多重化方式（Duplex Mode）は、ＦＤＤ（Frequency Division Duplex）方式とＴＤＤ（Time Division Duplex）方式のいずれかの方式が使用される。
【０００８】
３ＧＰＰ  Ｒｅｌｅａｓｅ１０の規格では、キャリアアグリゲーションの各ＣＣの多重化方式は全て同じ方式を使用するように定義されているが、３ＧＰＰ  Ｒｅｌｅａｓｅ１１以降では、異なる多重化方式のＣＣ組み合わせによるキャリアアグリゲーションが検討され規格化されている。
【０００９】
しかしながら、従来の移動端末試験装置では、各ＣＣの多重化方式の組み合わせによっては、機能上の制約により移動体通信端末との通信ができないという問題があった。
【００１０】
そこで、本発明は、コンポーネントキャリアの多重化方式が混在したキャリアアグリゲーションの試験を可能にする移動端末試験装置を提供することを目的としている。
【課題を解決するための手段】
【００１１】
本発明の移動端末試験装置は、キャリアアグリゲーションにおける複数のＣＣそれぞれに設定されたパラメータに基づいて、前記複数のＣＣの１つをＰＣＣとし、他の前記ＣＣをＳＣＣとして移動端末と呼接続を行なってキャリアアグリゲーションの試験を行なう移動端末試験装置であって、前記ＰＣＣまたは前記ＳＣＣとして動作する第１セル部と、前記ＳＣＣとしてのみ動作する第２セル部とのうち、１つの前記第１セル部を具備するとともに１つ以上の前記第２セル部を具備可能なコールプロセッシング部の複数個でなる複数のコールプロセッシング部であって、全セル部の数＞全コールプロセッシング部の数でなる当該複数のコールプロセッシング部と、前記複数のＣＣを前記複数のコールプロセッシング部に割り当てる制御部であって、前記複数のコールプロセッシング部のうちの１つのコールプロセッシング部には前記ＰＣＣを割り当てる当該制御部と、を備え、設定すべき全ＣＣの数が全セル部の数と等しく、且つ、前記ＰＣＣを含む前記ＰＣＣの多重化方式と同じ多重化方式のＣＣの数が前記複数のコールプロセッシング部の数以上であることを条件に、前記複数のコールプロセッシング部のうちの別のコールプロセッシング部は、前記制御部によって前記ＰＣＣの多重化方式と異なる多重化方式の前記ＳＣＣを割り当てられた場合に当該ＳＣＣのパラメータを前記第１セル部に設定しないよう、前記制御部によって前記複数のコールプロセッシング部に割り当てられた全ＣＣの中から前記ＰＣＣの多重化方式と同じ多重化方式の前記ＳＣＣを前記第１セル部に設定するとともに、当該第１セル部に割り当てた以外のＳＣＣを前記第２セル部に設定し、前記移動端末からの受信信号を前記第１セル部で受信するものである。
【００１２】
この構成により、プライマリコンポーネントキャリアの多重化方式と異なる多重化方式のセカンダリコンポーネントキャリアを割り当てられた別のコールプロセッシング部では、移動端末からの受信信号は第１セル部で受信される。このため、全てのコールプロセッシング部で移動端末からの信号を受信することができ、コンポーネントキャリアの多重化方式が混在したキャリアアグリゲーションの試験が可能となる。
【００１３】
また、本発明の移動端末試験装置において、前記別のコールプロセッシング部は、前記制御部によって自身に割り当てられた前記ＣＣの中から前記ＰＣＣの多重化方式と同じ多重化方式の前記ＳＣＣを前記第１セル部に設定するものである。
【００１４】
また、本発明の移動端末試験装置において、前記別のコールプロセッシング部は、前記制御部によって前記１つのコールプロセッシング部に割り当てられた前記ＣＣの中から前記ＰＣＣの多重化方式と同じ多重化方式の前記ＳＣＣを前記第１セル部に設定するものである。
【００１５】
また、本発明のコンポーネントキャリアの割り当て方法は、キャリアアグリゲーションのＰＣＣまたはＳＣＣとして動作する第１セル部と、前記ＳＣＣとしてのみ動作する第２セル部とのうち、１つの前記第１セル部を具備するとともに１つ以上の前記第２セル部を具備可能なコールプロセッシング部の複数個でなる複数のコールプロセッシング部であって、全セル部の数＞全コールプロセッシング部の数でなる当該複数のコールプロセッシング部を備え、キャリアアグリゲーションにおける複数のＣＣそれぞれに設定されたパラメータに基づいて、前記複数のＣＣの１つを前記ＰＣＣとし、他の前記ＣＣを前記ＳＣＣとして移動端末と呼接続を行なってキャリアアグリゲーションの試験を行なう移動端末試験装置のＣＣ割り当て方法であって、前記複数のコールプロセッシング部のうちの１つのコールプロセッシング部に、前記ＰＣＣを割り当てるステップと、設定すべき全ＣＣの数が全セル部の数と等しく、且つ、前記ＰＣＣを含む前記ＰＣＣの多重化方式と同じ多重化方式のＣＣの数が前記複数のコールプロセッシング部の数以上であることを条件に、前記複数のコールプロセッシング部のうちの別のコールプロセッシング部に、前記全ＣＣの中から前記ＰＣＣの多重化方式と同じ多重化方式の前記ＳＣＣを前記第１セル部に設定するとともに、当該第１セル部に割り当てた以外のＳＣＣを前記第２セル部に設定するステップと、前記移動端末からの受信信号を前記第１セル部で受信させるようにするステップと、を備えるものである。
【００１６】
この構成により、プライマリコンポーネントキャリアの多重化方式と異なる多重化方式のセカンダリコンポーネントキャリアを割り当てられた別のコールプロセッシング部では、移動端末からの受信信号は第１セル部で受信される。このため、全てのコールプロセッシング部で移動端末からの信号を受信することができ、コンポーネントキャリアの多重化方式が混在したキャリアアグリゲーションの試験が可能となる。
【発明の効果】
【００１７】
本発明は、コンポーネントキャリアの多重化方式が混在したキャリアアグリゲーションの試験を可能にする移動端末試験装置を提供することができる。
【図面の簡単な説明】
【００１８】
【図１】図１は、本発明の第１の実施形態に係る移動端末試験装置の概念ブロック図である。
【図２】図２は、本発明の第１の実施形態に係る移動端末試験装置のパラメータ設定状態を示す図である。
【図３】図３は、本発明の第１の実施形態に係る移動端末試験装置のパラメータ設定処理を説明するフローチャートである。
【図４】図４は、本発明の第２の実施形態に係る移動端末試験装置のパラメータ設定状態を示す図である。
【発明を実施するための形態】
【００１９】
以下、図面を参照して、本発明の実施形態について詳細に説明する。
【００２０】
［第１の実施形態］
図１において、本発明の第１の実施形態に係る移動端末試験装置１は、擬似基地局として同軸ケーブル等を介して有線で移動端末２と無線信号を送受信するようになっている。なお、移動端末試験装置１は、アンテナを介して無線で移動端末２と信号を送受信するようにしてもよい。移動端末試験装置１は、ＬＴＥ−Ａの規格に対応しており、キャリアアグリゲーション技術により移動端末２との間で通信できるようになっている。
【００２１】
移動端末試験装置１は、無線信号処理部１０と、無線ハードウェア制御部１１と、２つのコールプロセッシング部１２−０、１と、無線信号測定部１３と、ユーザインターフェース部１４と、制御部１５とを含んで構成されている。本実施形態においては、コールプロセッシング部１２を２つ備えた場合を示したが、さらに多数のコールプロセッシング部１２を備えるようにしてもよい。
【００２２】
無線信号処理部１０は、移動端末２との間で無線信号を送受信するものである。無線信号処理部１０は、コールプロセッシング部１２−０、１の送信データを、符号化や、変調、周波数変換などして無線信号を生成して送信する。また、無線信号処理部１０は、移動端末２から受信した無線信号を、周波数変換や、復調、復号などしてコールプロセッシング部１２−０、１に出力する。
【００２３】
無線ハードウェア制御部１１は、無線信号処理部１０を制御して、無線信号の送受信レベルや周波数などを制御するものである。
【００２４】
コールプロセッシング部１２−０、１は、無線信号処理部１０及び無線ハードウェア制御部１１と接続され、試験条件に応じて設定された周波数などのコンポーネントキャリアのパラメータに従って無線ハードウェア制御部１１に設定信号を送信して、無線信号処理部１０に試験条件に適合した無線信号を送信させる。また、コールプロセッシング部１２−０、１は、無線信号処理部１０を介して、移動端末２との間で無線信号を送受信して、コンポーネントキャリアとしての試験条件に適合した呼接続を移動端末２との間で行なったり、試験条件に対応したコンポーネントキャリアとしての呼制御を行なったりするものである。また、コールプロセッシング部１２−０、１は、設定された多重化方式などのパラメータに従って無線信号処理部１０に設定信号を送信して、無線信号処理部１０に試験条件に適合した無線信号を送信させる。
【００２５】
コールプロセッシング部１２−０、１は、コンポーネントキャリアとして動作する第１セル部１２１と第２セル部１２２を備えている。第１セル部１２１は、ＰＣＣまたはＳＣＣとして動作することができ、第２セル部１２２は、ＳＣＣとしてのみ動作するようになっている。第１セル部１２１は、移動端末２からの受信信号を受信し、必要な情報を第２セル部１２２に出力するようになっている。
【００２６】
第１セル部１２１及び第２セル部１２２に対応するＣＣのパラメータは、無線ハードウェア制御部１１を介して無線信号処理部１０に個別に設定できるようになっている。本実施形態においては、第２セル部１２２を１つ備える場合を示したが、第２セル部１２２を複数備えるようにしてもよい。
【００２７】
無線信号測定部１３は、無線信号処理部１０と接続され、無線信号処理部１０の送受信する無線信号の送受信レベルやスループットなどを測定し、測定結果を制御部１５に出力するようになっている。制御部１５は、無線信号測定部１３からの測定結果を時刻情報などと関連付けてハードディスク等に記憶しておき、ユーザの要求によりユーザインターフェース部１４に表示出力させたり、ログとしてファイルに出力したりするようになっている。
【００２８】
ユーザインターフェース部１４は、ユーザからの操作入力を受け付ける入力部１４１と、ＣＣのパラメータの設定画面や無線信号測定部１３の測定結果などを表示する表示部１４２とを備えている。入力部１４１は、タッチパッドやキーボードやプッシュボタンなどによって構成される。表示部１４２は、液晶表示装置などによって構成される。
【００２９】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３０】
制御部１５のＲＯＭ及びハードディスク装置には、各種制御定数や各種マップ等とともに、当該コンピュータユニットを制御部１５として機能させるためのプログラムが記憶されている。すなわち、ＣＰＵがＲＯＭ及びハードディスク装置に記憶されたプログラムを実行することにより、当該コンピュータユニットは、制御部１５として機能する。
【００３１】
制御部１５の入出力ポートには、無線ハードウェア制御部１１、コールプロセッシング部１２−０、１、無線信号測定部１３、ユーザインターフェース部１４が接続され、制御部１５と各部は信号の送受信をできるようになっている。
【００３２】
なお、本実施形態において、無線ハードウェア制御部１１、コールプロセッシング部１２−０、１、無線信号測定部１３は、各処理を実行するようにプログラミングされたＤＳＰ（Digital Signal Processor）等のプロセッサによってそれぞれ構成されている。また、無線信号処理部１０は、通信モジュールによって構成されている。
【００３３】
制御部１５は、表示部１４２に表示させたパラメータ設定画面に従って設定されたパラメータに基づいて、無線ハードウェア制御部１１に設定信号を送信して無線信号処理部１０の送受信する無線信号の周波数などを制御して、無線信号測定部１３により測定を行なわせる。また、制御部１５は、設定されたパラメータをコールプロセッシング部１２−０、１に通知して、設定されたパラメータに適合したコンポーネントキャリアの通信を確立させる。
【００３４】
また、制御部１５は、入力部１４１に入力された指示に従って、無線ハードウェア制御部１１及びコールプロセッシング部１２−０、１に信号を送信して、試験用の呼制御などを行なわせるようになっている。
【００３５】
具体的には、まず、ユーザにより試験に使用するＣＣのパラメータ設定が行なわれる。制御部１５は、ユーザによる入力部１４１の操作によりパラメータ設定の機能が選択されると、例えば、表示部１４２にパラメータ設定画面を表示させて、各ＣＣの多重化方式やチャネル帯域幅などのパラメータ（使用する複数のＣＣの並び順情報も含む）を設定させる。このとき、制御部１５は、使用可能なコールプロセッシング部１２−０、１の第１セル部１２１及び第２セル部１２２分のＣＣの設定を可能にする。
【００３６】
ユーザは、目的の試験に合わせてパラメータをＣＣごとに設定する。制御部１５は、設定されたパラメータをＣＣごとに例えばハードディスク装置に記憶するとともに、コールプロセッシング部１２−０、１にパラメータを通知し、コールプロセッシング部１２−０、１が設定されたパラメータに従ってＣＣの制御をできるようにする。
【００３７】
制御部１５は、設定されたＣＣの数が、複数のコールプロセッシング部１２−０、１を使用する必要があり（図１のように各セル部が２個ずつの構成においては使用するＣＣの数が３以上であり）、また、ＰＣＣとして設定されたＣＣの多重化方式と異なる多重化方式のＳＣＣが含まれて設定されている場合、ＣＣの割り当てが可能か否かを判定する。
【００３８】
制御部１５は、設定された複数のＣＣを複数のコールプロセッシング部１２−０、１に割り当てる。このとき、少なくともＰＣＣの多重化方式と同じ多重化方式のＣＣをコールプロセッシング部１２−０、１（本発明における１つのコールプロセッシング部）に割り当てる。なお、標準的な動作としては、ユーザが設定したＣＣの並び順で各コールプロセッシング部１２−０、１の各セル部の順で設定される（１２−０の１２１→１２２→１２−１の１２１→１２２の順）ようになっている。
【００３９】
制御部１５は、ＰＣＣとＳＣＣの割り当て情報と、各ＣＣのパラメータをコールプロセッシング部１２−０、１に通知する。このとき、各コールプロセッシング部１２−０、１には自身が割り当てられたものだけではなく全ＣＣの割り当て情報およびパラメータが通知される。なお、各コールプロセッシング部１２−０、１に自身が割り当てられた情報のみ通知するようにしてもよい。ここでは、４ＣＣを設定するものとし、各コールプロセッシング部１２−０、１に２ＣＣずつ割り当てるものとして説明を進める。
【００４０】
コールプロセッシング部１２−０、１（本発明における１つのコールプロセッシング部；ここでは１２−０とする）は、自身に割り当てられたＣＣが２つで、かつ、ＰＣＣの多重化方式と異なるＣＣとＰＣＣの多重化方式と同じＣＣがある場合、第１セル部１２１にＰＣＣの多重化方式と同じ多重化方式のＣＣのパラメータを設定し、第２セル部１２２にＰＣＣの多重化方式と異なる多重化方式のＣＣのパラメータを設定する。
【００４１】
コールプロセッシング部１２−０、１（本発明における別のコールプロセッシング部；ここでは１２−１とする）は、自身に割り当てられたＣＣが２つで、かつ、ＰＣＣの多重化方式と同じ多重化方式のＣＣ、異なる多重化方式のＣＣ、の順で制御部から割り当てられた場合、そのまま、ＰＣＣの多重化方式と同じ多重化方式のＣＣのパラメータを第１セル部１２１に設定し、ＰＣＣの多重化方式と異なる多重化方式のＣＣのパラメータを第２セル部１２２に設定する。
【００４２】
また、コールプロセッシング部１２−１は、自身に割り当てられたＣＣが２つで、かつ、ＰＣＣの多重化方式と異なる多重化方式のＣＣ、同じ多重化方式のＣＣ、の順で制御部から割り当てられた場合、順序を入れ替えて、ＰＣＣの多重化方式と同じ多重化方式のＣＣのパラメータを第１セル部１２１に設定し、ＰＣＣの多重化方式と異なる多重化方式のＣＣのパラメータを第２セル部１２２に設定する。コールプロセッシング部１２−１は、無線信号処理部１０に、入れ替えられた第１セル部１２１で移動端末２からの信号を受信するように設定し、各セル部からの送信信号は元々の順序に合うように入れ替えて送信するように設定する。
【００４３】
ここで、コールプロセッシング部１２−０、１の構成について説明する。通常、コールプロセッシング部１２−０、１は同一ボードで構成され、よって別のコールプロセッシング部１２−１もＰＣＣとＳＣＣとの組み合わせで用いられることを前提とした構成のものとなっている。したがって、コールプロセッシング部１２−１は、第１セル部１２１及び第２セル部１２２をＳＣＣとして使用することになるが、第１セル部１２１がＰＣＣの多重化方式と同じ多重化方式でないと移動端末２からのフィードバック信号を受信することができず、通信を行なうことができない。
【００４４】
また、各ＣＣから移動端末２に送信される制御情報について説明すると、各ＣＣは移動端末２に対して基地局からの信号を受信するための制御情報を送信するようになっている。そしてＳＣＣから送信される制御情報は多重化方式によってその内容が相違する。よって、コールプロセッシング部１２−１の第１セル部に１２−０のＰＣＣとは異なる多重化方式のＳＣＣが割り当てられると、間違った制御情報が移動端末２に送信されることになる。
【００４５】
このため、コールプロセッシング部１２−１でも移動端末２からのフィードバック信号を受信することができるように（および誤制御情報の送信無きように）、ＰＣＣの多重化方式と同じ多重化方式のＳＣＣを割り当てる。詳しくは、コールプロセッシング部１２−１の第１セル部１２１で移動端末２からの信号を受信可能となるようにする。
【００４６】
例えば、図２に示すように、ユーザによってＰＣＣとしてＦＤＤのＣＣ、ＳＣＣ１，２として２つのＴＤＤのＣＣ、ＳＣＣ３として１つのＦＤＤのＣＣがこの並び順で設定された場合、（前述の標準動作でコールプロセッシング部１２−０の第１セル部から順番に割り当てるとすると）コールプロセッシング部１２−１の第１セル部１２１にＴＤＤの設定をすると移動端末２からの信号を受信することができない。このため、第１セル部１２１をＦＤＤとして移動端末２からの信号を受信できるようにＳＣＣ２とＳＣＣ３とを入れ替えて第１セル部１２１及び第２セル部１２２に設定する。また、この第１セル部１２１及び第２セル部１２２からの送信信号は元の順番に戻されて送信される。
【００４７】
このようなパラメータを設定した後、ユーザは、移動端末試験装置１と移動端末２とを有線で接続し、移動端末２の電源を入れるなどして位置登録を行なわせ、移動端末試験装置１側で位置登録が正常に行なわれたかを確認する。
【００４８】
制御部１５は、位置登録が行なわれた状態で、ユーザによる入力部１４１の操作により呼接続の操作が行なわれると、ユーザに指定されたＣＣに対応するコールプロセッシング部１２−０に呼接続の指示を送信し、呼接続を行なわせる。
【００４９】
制御部１５は、呼接続が行なわれた状態で、ユーザによる入力部１４１の操作により送信試験の実行の操作が行なわれると、無線信号測定部１３に試験実行の指示を送信して、送信信号の試験を行なわせる。制御部１５は、無線信号測定部１３から試験結果の情報を受信すると、ログとしてハードディスク装置に記憶するとともに、表示部１４２に結果等を表示させる。
【００５０】
また、制御部１５は、呼接続が行なわれた状態で、ユーザによる入力部１４１の操作により受信試験の実行の操作が行なわれると、呼接続されたＣＣに対応するコールプロセッシング部１２−０に試験実行の指示を送信して、受信信号の試験を行なわせる。制御部１５は、コールプロセッシング部１２−０から試験結果の情報を受信すると、ログとしてハードディスク装置に記憶するとともに、表示部１４２に結果等を表示させる。
【００５１】
以上のように構成された本実施形態に係る移動端末試験装置１のコールプロセッシング部１２−１によるパラメータ設定処理について、図３を参照して説明する。
【００５２】
図３に示すように、コールプロセッシング部１２−１は、制御部１５から通知されたＰＣＣとＳＣＣの割り当て情報と、各ＣＣのパラメータに基づき、ＰＣＣの多重化方式と異なる多重化方式のＣＣが割り当てられ、第１セル部１２１及び第２セル部１２２へのパラメータの変更が必要か否かを判定する（ステップＳ１１）。
【００５３】
第１セル部１２１及び第２セル部１２２へのパラメータの変更が必要ないと判定した場合、コールプロセッシング部１２−１は、設定されたパラメータ通りパラメータを設定する通常のパラメータの設定を行ない（ステップＳ１４）、処理を終了する。
【００５４】
一方、第１セル部１２１及び第２セル部１２２へのパラメータの変更が必要であると判定した場合、コールプロセッシング部１２−１は、割り当てられたＳＣＣの順番を入れ替えて第１セル部１２１がＰＣＣと同じ多重化方式となるようにして各セル部のパラメータの設定を行なう（ステップＳ１２）。
【００５５】
次いで、コールプロセッシング部１２−１は、無線信号処理部１０に、移動端末２からの信号は、第１セル部１２１で受信するよう設定し、第１セル部１２１及び第２セル部１２２からの送信信号は元の順番に戻して送信するように設定する信号入出力の変更を行ない（ステップＳ１３）、処理を終了する。
【００５６】
このように、上述の実施形態では、コールプロセッシング部１２−１は、ＰＣＣの多重化方式と異なる多重化方式のＳＣＣを割り当てられた場合、第１セル部で受信できるよう、割り当てられたＳＣＣのうちからＰＣＣの多重化方式と同方式のＳＣＣが第１セル部となるように順番を入れ替えて設定し、移動端末２からの受信信号を第１セル部１２１で受信する。
【００５７】
これにより、コールプロセッシング部１２−１でも移動端末２からの信号を受信することができ、ＣＣの多重化方式が混在したキャリアアグリゲーションの試験が可能となる。
【００５８】
また、コールプロセッシング部１２−１は、第１セル部１２１及び第２セル部１２２からの送信信号は元の順番に戻されて送信する。
【００５９】
これにより、コールプロセッシング部１２−１でも移動端末２と信号の送受信ができ、ＣＣの多重化方式が混在したキャリアアグリゲーションの試験が可能となる。
【００６０】
また、ＰＣＣの多重化方式と同じ多重化方式のＣＣを割り当てられたコールプロセッシング部１２−０は、第１セル部１２１をＰＣＣの多重化方式と同じ多重化方式のＣＣとして動作させる。
【００６１】
これにより、コールプロセッシング部１２−０でも移動端末２と信号の送受信ができ、ＣＣの多重化方式が混在したキャリアアグリゲーションの試験が可能となる。
【００６２】
［第２の実施形態］
次に、図４を用いて第２の実施形態について説明する。前記した第１の実施形態では、１つのコールプロセッシング部１２−１内でＳＣＣの配置を変更する構成となっていたが、本実施形態では、複数のコールプロセッシング部１２−０、１間にまたがって変更する構成となっている。本実施形態は、図２に示した実施形態と設定すべきＣＣの数、およびコールプロセッシング部構成（セル数）は同一である。設定すべき４ＣＣの多重化方式がＦＤＤ，ＦＤＤ，ＴＤＤ，ＴＤＤとなっている点で異なる。
【００６３】
制御部１５から各コールプロセッシング部１２−０、１に、今回設定された全情報（全ＣＣの並び、全ＣＣの割り当て情報、全ＣＣの設定パラメータ、等）が通知される。通知された情報に基づき、コールプロセッシング部１２−１の第１セル部１２１にＰＣＣと異なる多重化方式のＳＣＣを割り当てないようになっている。
【００６４】
コールプロセッシング部１２−０は、第１セル部１２１にＰＣＣ（ＦＤＤ）を設定し、第２セル部１２２にＳＣＣ２（ＴＤＤ）を設定する。コールプロセッシング部１２−１は、ＳＣＣ１（ＦＤＤ）を第１セル部１２１に設定し、ＳＣＣ３（ＴＤＤ）をそのまま第２セル部１２２に設定する。
【００６５】
これにより、コールプロセッシング部１２−１の第１セル部１２１の多重化方式がコールプロセッシング部１２−０の第１セル部１２１の多重化方式と同じとなり、コールプロセッシング部１２−１は第１セル部１２１で移動端末からのフィードバック信号を受信することができる。
【００６６】
また、コールプロセッシング部１２−０の第２セル部１２２とコールプロセッシング部１２−１の第１セル部１２１からの送信信号は、元の順番に戻されて送信される。
【００６７】
以上説明してきたように、本発明は、設定すべき全ＣＣの数と全セル部の数とが等しい場合において、全ＣＣの中からＰＣＣと同じ多重化方式のＳＣＣをコールプロセッシング部１２−１（別のコールプロセッシング部）の第１セル部に設定するようになっている。したがって、ＰＣＣを含むＰＣＣと同じ多重化方式のＣＣ数が複数のコールプロセッシング部の数以上であることが条件となる。
【００６８】
上記の実施形態においては、コールプロセッシング部の数は２個で説明してきたがこれに限られるものではない。また、各コールプロセッシング部の第２セル部１２２の数は１個で説明してきたがこれに限られるものではなく、各々のコールプロセッシング部で数が異なっても、２個以上であっても、あるいは具備しなくともよい。ただし、「ＣＣを入れ替える」という動作を行うためには、複数のうちの１つのコールプロセッシング部は第２セル部を１個以上具備することが条件になる。
【００６９】
また、隣接したＣＣ間にて設定を入れ替えるようにしてきたが、当然にこれに限られるものではない。例えば、コールプロセッシング部１２−０の全セル部の数が３個（第２セル部が２個）、コールプロセッシング部１２−１の全セル部の数が１個（第２セル部が０個）である場合には、コールプロセッシング部１２−０の１つ目の第２セル部とコールプロセッシング部１２−１の第１セル部とを入れ替えることも可能である。
【００７０】
以上、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７１】
１  移動端末試験装置
２  移動端末
１０  無線信号処理部
１１  無線ハードウェア制御部
１２  コールプロセッシング部
１２−０、１  コールプロセッシング部
１３  無線信号測定部
１４  ユーザインターフェース部
１５  制御部
１２１  第１セル部
１２２  第２セル部
１４１  入力部
１４２  表示部
【図１】
2017175492.tif 000003
【図２】
2017175492.tif 000004
【図３】
2017175492.tif 000005
【図４】
2017175492.tif 000006